(57)【要約】【課題】遮蔽幕を撮像素子の長辺方向に移動させるようにしてレンズ装置の薄型化とカメラの小型化を実現可能なカメラ用シャッタ装置を提供する。【解決手段】デジタルカメラ１のレンズ装置７のシャッタ装置２１は第１の基板２５、スペーサ２６、遮光幕２７及び第２の基板２８とで構成される。遮光幕２７は遮光性を有する部材で予め所望のピッチで電気的に永久分極された部位を備えたエレクトレット構造の部材からなる。この遮光幕２７を駆動するために、第１の基板２５には光学的開口２９と周辺部を除いて全面に帯状の複数の駆動電極３１が形成されている。第２の基板２８は遮光幕２７を第１の基板２５との間に移動可能に保持するために設けられ、スペーサ２６は第１の基板と第２の基盤の間隔を維持するために設けらる。遮光幕２７は光学的開口２２（及び２９）と退避部２３とに移動する。退避部２３は光学的開口２２（及び２９）に対しカメラのＸ方向に隣接する位置に形成されている。【選択図】      図４
2005274872.tif 000002
【特許請求の範囲】
【請求項１】
長辺及び短辺から構成された矩形のフィルムまたは光電変換型の撮像素子の受光面と、該受光面に結像する撮影対象からの光を通過させる光学的開口と、前記受光面に露光させない第１の位置と前記受光面に露光させる第２の位置との間を移動して前記光学的開口の大きさを制御する遮光幕と、を備えたカメラ用シャッター装置であって、
前記遮光幕が前記第２の位置に移動した際の遮光幕退避領域は、当該遮光幕と同じまたはそれよりも大きく、かつ前記受光面の長辺方向において前記光学的開口に対して隣接して設けられている、ことを特徴とするカメラ用シャッター装置。
【請求項２】
前記遮光幕は、定形の板状部材であることを特徴とする請求項１に記載のカメラ用シャッター装置。
【請求項３】
前記遮光幕は、その移動方向が前記受光面の長辺方向と略一致するように構成されることを特徴とする請求項１に記載のカメラ用シャッター装置。
【請求項４】
前記遮光幕は、その移動方向が前記受光面に結像されるランドスケイプ画像の略水平方向となるように構成されることを特徴とする請求項１に記載のカメラ用シャッター装置。
【請求項５】
前記遮光幕は、２つの部材より構成され、該２つの部材は該２つの部材間に所定の開口を形成しながら前記第１の位置と前記第２の位置との間を移動することを特徴とする請求項１に記載のカメラ用シャッター装置。
【請求項６】
前記遮光幕は、その移動方向に周期的に静電分極された部位を有し、前記遮光幕の移動を駆動する駆動力供給手段は、前記静電分極された部位と対向するとともに複数の電極で構成された複数の電極群と、該電極群毎に所定の位相の電圧を印加する電圧印加手段と、を有する、ことを特徴とする請求項１に記載のカメラ用シャッタ装置。
【請求項７】
前記複数の遮光幕は、共通の前記電極群と対向することを特徴とする請求項６に記載のカメラ用シャッタ装置。
【請求項８】
前記遮光幕は、エレクトレット処理により少なくとも一部に静電分極された部位を有する、ことを特徴とする請求項６に記載のカメラ用シャッター装置。
【請求項９】
請求項１乃至８のいずれかに記載のシャッター装置を搭載したことを特徴とするカメラ。
【発明の詳細な説明】
【技術分野】
【０００１】
本発明は、カメラの薄型化と小型化に寄与するカメラ用シャッタ装置に関する。
【背景技術】
【０００２】
近年、光学レンズなどを用いて結像させた被写体像をＣＣＤ（Charge Coupled Device ）などの撮像素子で電気信号に変換し、記録媒体に撮像画像として記録する電子カメラが広く普及している。
一般にカメラの結像面つまり受光面は、フィルムの受光面の場合も撮像素子の受光面の場合も長辺と短辺からなる矩形であり、通常は長辺方向がランドスケイプ画像の水平方向となるように構成されている。
【０００３】
また、一般に、カメラには銀塩フィルム用カメラや電子カメラのいずれにおいても、被写体からの光路上の光学的開口に、被写体からの光量を調節するための絞りや被写体の瞬時の像を捉えるためのシャッタを設けることが必要である。またシャッタの動作は連続撮影に即応できるほど良いことも、つとに知られている。そのようなシャッタの例として、撮像素子の短辺方向に沿って遮光幕が移動するフォーカルプレーンシャッタが提案されている。（例えば、特許文献１参照。）
【特許文献１】特開平１０−０９６９７５号公報（［要約］、段落［０００９］、［００２６］〜［００３２］、図１、図２）
【発明の開示】
【発明が解決しようとする課題】
【０００４】
ところで、上記特許文献１のシャッタ機構は、光学的開口を塞ぐに十分な大きさの定形の遮光幕が移動するように構成されている。また、近年のフォーカルプレーンシャッタにおいては、撮像素子の短辺方向に遮光幕が移動する（いわゆる縦走り）が多く、光学的開口を塞ぐに十分な大きさの定形の遮光幕を有するシャッタでは、カメラの全体構成を考えると、カメラ本体が上下方向に長くなってしまうばかりでなく、遮光幕が撮像素子の上方に退避した場合、ファインダー位置と重なる状態となり、これを避けるためにファインダーを従来に比べて上方(又は左右)にずらして配置させる必要が生じてくる。これでは、ファインダー光学系への設計の自由度に制約が多くて問題となる。
【０００５】
本発明の課題は、上記従来の実情に鑑み、遮光幕を撮像素子の長辺方向に移動させるようにしてレンズ装置の薄型化、延いてはカメラの小型化を実現可能なカメラ用シャッタ装置を提供することである。
【課題を解決するための手段】
【０００６】
以下に、本発明に係わるカメラ用シャッター装置の構成を述べる。
本発明のカメラ用シャッター装置は、長辺及び短辺から構成された矩形のフィルムまたは光電変換型の撮像素子の受光面と、該受光面に結像する撮影対象からの光を通過させる光学的開口と、上記受光面に露光させない第１の位置と上記受光面に露光させる第２の位置との間を移動して上記光学的開口の大きさを制御する遮光幕と、を備えたカメラ用シャッター装置であって、上記遮光幕が上記第２の位置に移動した際の遮光幕退避領域は、当該遮光幕と同じまたはそれよりも大きく、かつ上記受光面の長辺方向において上記光学的開口に対して隣接して設けられるように構成される。
【０００７】
上記遮光幕は、例えば定形の板状部材であり、また、例えばその移動方向が上記受光面の長辺方向と略一致するように構成され、また、例えばその移動方向が上記受光面に結像されるランドスケイプ画像の略水平方向となるように構成される。
また、上記遮光幕は、例えば２つの部材より構成され、該２つの部材は該２つの部材間に所定の開口を形成しながら上記第１の位置と上記第２の位置との間を移動するように構成される。
【０００８】
また、例えば、上記遮光幕は、その移動方向に周期的に静電分極された部位を有し、上記遮光幕の移動を駆動する駆動力供給手段は、上記静電分極された部位と対向するとともに複数の電極で構成された複数の電極群と、該電極群毎に所定の位相の電圧を印加する電圧印加手段と、を有して構成される。
【０００９】
この場合、上記複数の遮光幕は、共通の上記電極群と対向するように構成され、また、例えばエレクトレット処理により少なくとも一部に静電分極された部位を有して構成される。
【発明の効果】
【００１０】
本発明によれば、遮光幕の退避位置を、撮像素子の受光面の長辺方向に隣接して設けたことにより、レンズシャッタ装置に用いるとレンズ装置の薄型化を図ることができる。また、一眼レフカメラに用いるとファインダー位置との干渉を防ぎファインダー光学系への設計上の制約を排除できると共に、カメラの小型化にも寄与することができる。
【発明を実施するための最良の形態】
【００１１】
以下、本発明の実施の形態を図面を参照しながら説明する。
【実施例１】
【００１２】
図１(a),(b) は、実施例１におけるデジタルカメラの概略構成を示す図であり、同図(a) はデジタルカメラの前面からの外観を示す斜視図、同図(b) はデジタルカメラ内部の主要部の配置状態を示す斜視図である。
同図(a) に示すように、デジタルカメラ１は、前面右上隅に撮影レンズ窓２を備え、その左方にストロボ照射窓３を備えている。また、上面の左端部にはレリーズボタン４が設けられている。
【００１３】
同図(b) に示すように、デジタルカメラ１の内部は、全体の左方ほぼ２／３を占めて、各種の電子部品を搭載した回路基板５からなる制御装置や着脱交換自在な電池６などが配置されている。そして、その右方の全体のほぼ１／３を占める部分には、ユニット化されたレンズ装置７が配設されている。
【００１４】
レンズ装置７は、同図(a) の撮影レンズ窓２から同図(b) に示す撮影光軸Ｏ１に沿って入射する被写体からの光束を、その光軸Ｏ１がほぼ直角に下方に折り曲がるように反射させ、その下方に折り曲げられた後述する第２の光軸Ｏ２に沿って、上記の入射光束を、レンズ装置７の下端部に配設されている例えばＣＣＤなどからなる撮像素子まで導いて撮像画像を生成する。
【００１５】
尚、同図(b) に示すＸＹＺの矢印は、カメラの幅、奥行き、高さの方向を示しており、カメラのＹ方向の厚さが薄いほどカメラ全体が薄型となり、近年のデジタルカメラへのユーザ志向である小型化・薄型化に適合する構成となる。
図２は、図１(b) に示すレンズ装置７のＡ−Ａ´矢視断面をデジタルカメラ１の図１(b) の左方から見た図であり、レンズユニット各部の概略の構成を示している。図１(b) に示したレンズ装置７の内部には、この図２に示すように、上記下方に折り曲げられた第２の光軸Ｏ２に沿って、第１の固定鏡枠部８にレンズ群が保持された第１の固定レンのズ部９、第１の移動鏡枠１１にレンズ群が保持された第１の移動レンズ部１２、第２の移動鏡枠１３にレンズ群が保持された第２の移動レンズ部１４、第３の移動鏡枠１５にレンズが保持された第３の移動レンズ部１６、第２の固定鏡枠部１７にレンズが保持され第２の固定レンズ部１８、及びこれらのレンズ部の終端には配置さえた撮像素子１９とで構成されている。
【００１６】
上記第１の移動レンズ部１２及び第２の移動レンズ部１４は、このレンズ装置７の光学系の第２の光軸Ｏ２に沿って入射する被写体の光束の焦点距離を変化させる、つまりズーム比調節用のために設けられ、第３の移動レンズ部１６は、上記の光束が撮像素子１９上に結像する焦点調節のために設けられている。そして、上記第１の移動レンズ部１２と第２の移動レンズ部１４の間には、シャッタ位置（絞り位置でもある）２０が設けられている。
【００１７】
図３(a) は、図１(b) に示したレンズ装置７をデジタルカメラ１の図１(b) の背面側から見た拡大斜視図であり、図３(b) はそのシャッタ装置を単独に示す図、図３(c) は撮像素子を単独に示す図である。尚、同図に示すＸＹＺの矢印は、図１(b) に示したＸＹＺの矢印と同一のカメラ本体の幅、奥行き、高さの方向を示している。
【００１８】
図３(a) に示すように、レンズ装置７には、図２に示したシャッタ位置（絞り位置）２０にシャッタ装置２１が組み込まれている。シャッタ装置２１は、図３(b) に示すように、長辺ａと短辺ｂからなる矩形の平らな板状体をなす装置であり、第２の光軸Ｏ２の透過路となる光学的開口２２と、この光学的開口２２に長辺ａ方向に隣接する退避部２３を有している。そして、上記の長辺ａはＸ方向に短辺ｂはＹ方向に沿って配置されている。
【００１９】
このシャッタ装置２１の光学的開口２２を透過する第２の光軸Ｏ２の終端すなわちレンズ装置７の下端部には、図２にも示した撮像素子１９が配置されている。この撮像素子１９も、Ｘ方向に沿う長辺ａ´とＹ方向に沿う短辺ｂ´からなる矩形の受光面２４を有して配置されている。
【００２０】
図４は、上記シャッタ装置２１の分解斜視図である。同図に示すシャッタ装置２１は、図の下から示す第１の基板２５、スペーサ２６、遮光幕２７、第２の基板２８とで構成される。遮光幕２７には図では定かに見えないが予め所望のピッチで電気的に分極されており、この遮光幕２７を駆動するために、第１の基板２５には光学的開口２９と周辺部を除いて全面に帯状の複数の駆動電極３１が形成されている。第２の基板２８は光学的開口２２を有し遮光幕２７を第１の基板２５との間に移動可能に保持するために設けられ、そして、スペーサ２６は、第１の基板と第２の基盤の間隔を維持するために設けられている。
【００２１】
尚、光学的開口２２、２９は、必ずしも貫通孔のような物理的な開口部とする必要はなく、第１の基板２５、第２の基板２８をそれぞれ透明な部材としても良い。
尚、同図には、図１(b) 及び図３に示したカメラの幅、奥行き、高さのうち、幅と奥行き方向を示す矢印Ｘと矢印Ｙも示している。また、図３に示した退避部２３を第１及び第２の基板２５及び２８の両方に示している。
【００２２】
ここで、本例におけるシャッタ装置２１における遮光幕２７を駆動するシャッタ機構の駆動原理を説明する。
図５(a),(b) は、本発明のシャッタ装置におけるシャッタ機構の駆動原理を説明する図である。尚、以下の駆動原理の説明では、第１の基板２５に代えて固定子２５と言い、遮光幕２７に代えて移動子２７と言うことにする。
【００２３】
本シャッタ機構は、基本的に固定子２５と移動子２７とを備え、移動子２７は、固定子２５に対して同図(a),(b) に示すように左右方向に移動自在に構成されている。そして、固定子２５には、被写体からの光像を撮像素子（図２、図３の撮像素子１９参照）に導くための開口部（光学的開口２９）が設けられ、更に、帯状の複数の駆動電極３１が所定の間隔で並べて形成されている。他方の移動子２７は、遮光性を有する部材であり、永久分極された誘電体の部位を備えている。このような移動子２７の構成はエレクトレットと呼ばれている。
【００２４】
一般に、エレクトレットとは、電気を通しにくい例えばテフロン（登録商標）、ポリプロピレン、マイラーなどの高分子材料を加熱溶融し、これに直流の高電圧を加えながら電極の間で固化させたあとで電極を取り去ると、電極に接していた面が正または負に帯電し、これらの分極（正と負の電気に分かれた状態）が半永久的に保持されているもののことを称する用語である。
【００２５】
上記のシャッタ機構において、駆動電極３１に正負の電圧を周期的に印加すると、駆動電極３１と移動子２７の上記エレクトレットとの間に吸引力又は反発力が発生し、結果的に移動子２７が固定子２５に対して相対移動する。
したがって、移動子２７が固定子２５の開口部（光学的開口２９）を開放又は遮蔽するように移動可能にすることによってシャッタ機構を構成することができる。図５(a) はシャッタが開の状態を示し、同図(b) はシャッタが閉の状態を示している。以下、本構成に係るシャッタ機構を「エレクトレットシャッタ」と称することにする。
【００２６】
なお、固定子２５の開口部（光学的開口２９）は、必ずしも貫通孔のような物理的な開口部とする必要はなく、固定子２５を透過部材とし、開口部に相当する位置に駆動電極３１が設けられていない透過領域を形成するようにしても良い。
図６は、エレクトレットシャッタとその駆動回路を模式的に示す図である。同図は右にエレクトレットシャッタの断面を模式的に示し、左に駆動回路をブロック図で示している。同図に示すように、固定子２５に並べられたそれぞれの駆動電極３１には、駆動（電圧印加）回路３２からの電圧信号線が接続されている。この電圧信号線には４相の電圧信号が印加され、従って、駆動電極３１には、４本毎に同一の電圧信号が印加される。図６では、駆動電極３１にＡ、Ｂ、Ｃ、Ｄの符号を付してこの電圧信号を区別している。
【００２７】
この固定子２５の駆動電極３１の配設面に対向して移動子２７が配置されている。移動子２７には、固定子２５との対向面に永久分極された上述した誘電体（エレクトレット）３３を複数備えている。
同図の左に示す駆動回路３２では、パルス発生回路３４で矩形波列（駆動パルス信号）が生成され、この駆動パルス信号が昇圧回路３５と位相器３６に供給される。昇圧回路３５では、入力した駆動パルス信号を１００Ｖ程度まで昇圧するとともに、２つの極性を有する電圧信号に分岐して、駆動電極Ａ及びＣに供給する。
【００２８】
他方、位相器３６に入力した駆動パルス信号は、９０°位相が遅れた波形となり、その後、昇圧回路３５に入力されて、上述と同様の２つの極性を有する電圧信号に分岐されて駆動電極Ｂ及びＤに供給される。
図７は、駆動回路３２によって生成されて駆動電極３１に印加される電圧信号列を示す図である。駆動電極３１の電圧の状態は、期間Ｔにおけるｔ１〜ｔ４の４つの状態変化が時間ｔにおける期間Ｔごとの経過に対応して繰り返される。
【００２９】
図８は、上記のエレクトレットシャッタの動作を更に説明する図である。同図(a) は図７において各駆動電極３１（Ａ，Ｂ，Ｃ，Ｄ）の電圧状態が、図７に示したｔ１の印加電圧の状態に切り替った直後のエレクトレットと駆動電極との対応関係を示している。
エレクトレット３３ａは、駆動電極Ａから反発力を受け、駆動電極Ｂから吸引力を受ける。また、エレクトレット３３ｂは、駆動電極Ｃから反発力を受け、駆動電極Ｄから吸引力を受ける。このため、移動子２７は図の右方向に力を受けて、１つの駆動電極ピッチｄだけ移動する。
【００３０】
図８(b) は、上記に続いて図７に示したｔ２の印加電圧の状態に切り替った直後のエレクトレットと駆動電極との対応関係を示している。エレクトレット３３ａは、駆動電極Ｂから反発力を受け、駆動電極Ｃから吸引力を受ける。また、エレクトレット３３ｂは、駆動電極Ｄから反発力を受け、駆動電極Ａから吸引力を受ける。このため、移動子２７は図の右方向に力を受けて、再び１つの駆動電極ピッチｄだけ移動する。
【００３１】
図８(c) は、上記に続いて図７に示したｔ３の印加電圧の状態に切り替った直後のエレクトレットと駆動電極との対応関係を示し、図８(d) は、同図(c) に続いて図７に示したｔ４の印加電圧の状態に切り替った直後のエレクトレットと駆動電極との対応関係を示している。図８(a),(b) で説明した動作と同様に、移動子２７は、１つの駆動電極ピッチｄだけ順次移動する。
【００３２】
そして、この動作が繰り返されることにより、移動子２７は図の右方向に移動する。なお、移動子２７を図の左方向に移動するためには、駆動電極３１に印加する電圧の極性を逆に切り替えればよい。
このように、本例の移動子２７は、それ自体が半永久的な分極帯電部を備えているので、例えば誘導電荷形アクチュエータのように、電圧印加、電荷蓄電及び静電誘導を繰り返す手数と時間を要することなく、単に駆動電圧の印加だけで移動子を迅速に駆動することができる。
【００３３】
図９は、本例のシャッタ装置２１の遮光幕２７が第１の基板２５の光学的開口２９（第２の基板２８の光学的開口２２でもある）から退避した状態を示す図である。尚、同図には図１(b) 及び図３に示したカメラの幅、奥行き、高さのうち、幅と奥行き方向を示す矢印Ｘと矢印Ｙも示している。同図に示すように、光学的開口２９からの遮光幕２７の退避位置は、図３(c) に示す撮像素子１９の長辺方向ａ´（矢印Ｘ方向）で、図３で示した第２の基板２８の光学的開口２２に長辺ａ方向に隣接する退避部２３であり、図９では第１の基板２５の光学的開口２９にＸ方向に隣接する位置であり、遮光幕２７と同じ又はそれよりも大きい領域である。
【００３４】
このように、本例のシャッタ装置２１においては、遮光幕２７が光学的開口２２及び２９に対し、カメラのＸ方向に隣接する位置に退避するので、つまりカメラの奥行き方向となるＹ方向には退避しないので、カメラ本体の薄型化に寄与することができる。
【実施例２】
【００３５】
図１０(a),(b) は、実施例２としてのカメラ本体とその交換レンズの正面図である。同図(a) に示すカメラ本体３７は、交換レンズ取り付け部３８から同図(b) に示す交換レンズ３９を取り外してレンズ背後に在る内部構成を示している。同図(a) に示す内部構成において、焦点面の被写体側近傍に本発明を応用したフォーカルプレーンシャッタ装置４０が組み込まれている。同図ではフォーカルプレーンシャッタ装置４０の中央部分が見えている。尚、同図(a) には、フォーカルプレーンシャッタ装置４０を図示しやすくするために、本来はその手前に配置されているクイックリターンミラーの図示を省略している。
【００３６】
このカメラ本体３７は、図の左側に電池室を兼ねた握り部４１があり、その上面部にシャッタボタン４２を備えている。また、同図(a) には、カメラ本体３７の幅方向を矢印Ｘで示し、奥行き方向を矢印Ｙで示し、高さ方向を矢印Ｚで示している。
図１１は、図１０(a) に示すカメラ本体３７のレンズ背後の内部構成から更にフォーカルプレーンシャッタ装置４０を取り除いて、その背後の構成を示す図である。同図に示すように、最奥部分には撮像素子受光面４３が配置されている。この撮像素子受光面４３は、カメラ本体のＸ方向に沿う長辺ａ″とＺ方向に沿う短辺ｂ″からなる矩形状に形成されている。
【００３７】
図１２は、本例のフォーカルプレーンシャッタ装置の分解斜視図である。同図に示すように、フォーカルプレーンシャッタ装置４０は、図の左から示す第１の基板４４、第１の遮光幕４５と第２の遮光幕４６、スペーサ４７、第２の基板４８とで構成される。
第１及び第２の遮光幕４４及び４５は、図５乃至図８で説明した移動子２７と同様に、予め所望のピッチで電気的に分極されている。
【００３８】
第１の基板４４は、図５乃至図８で説明した固定子２５と同様に、第１の遮光幕４５を駆動するための駆動電極４９を備え、中央に光学的開口５１が形成されている。
他方、第２の基板４８は、これも図５乃至図８で説明した固定子２５と同様に、第２の遮光幕４６を駆動するための駆動電極５２を備えている。そして更に、第１及び第２の遮光幕４５及び４６を第１の基板４４との間に移動可能に保持する間隔を維持するために上下に配置された間隔維持部５３と、中央に形成された光学的開口５４とが備えている。
【００３９】
また、スペーサ４７は、第１及び第２の基板４５及び４６間の間隔を維持するために配置される。
図１３は、上記フォーカルプレーンシャッタ装置４０の組み立て後の側断面図を下半分だけ拡大して示す図である。同図に示すように、第１の基板４４と第２の基板４８との間に介装されるスペーサ４７が形成する間隙において、第２の基板４８側に配置されて第２の遮光幕４６をガイドする間隔維持部５３と第１の遮光幕４５をガイドすべきスペーサ４７とで形成される間隙ｈ１は、第１の遮光幕４５の厚さよりもやや大きく、したがって、第１の遮光幕４５は、同図の紙面奥行き方向に移動が自在である。
【００４０】
また、上記第２の遮光幕４６をガイドすべく配設されている間隔維持部５３が形成する間隙（間隔維持部５３の厚さでもある）ｈ２は、第２の遮光幕４６の厚さよりもやや大きく、したがって、第２の遮光幕４６も、同図の紙面奥行き方向に移動が自在である。
上記の構成により、第１及び第２の遮光幕４５及び４６は、図５乃至図８で説明した移動子２７と同様に、駆動回路からの駆動電圧により、光学的開口５１及び５４を遮蔽する位置と、遮蔽から退避する位置とに駆動される。
【００４１】
図１４は、フォーカルプレーンシャッタ装置４０の第１の遮光幕４５が光学的開口５４（同図には第２の基板４８のみを代表的に示している）から退避し、第２の遮光幕４６が光学的開口５４を塞いでいる状態を示す図である。尚、同図には図１(b) 及び図３に示したカメラの幅、奥行き、及び高さのうち、幅と高さ方向を示す矢印Ｘと矢印Ｚも示している。
【００４２】
同図において、次回のシャッタチャンス時には、第１及び第２の遮光幕４５及び４６が所定の開口を形成しながら左に移動して第２の遮光幕４６が退避位置５５に停止し、第１の遮光幕４５が光学的開口５４を塞ぐ位置で停止する。
このように、本例のフォーカルプレーンシャッタ装置４０においては、第１及び第２の遮光幕４５及び４６が光学的開口５１及び５４に対し、カメラのＸ方向すなわち図１１の撮像面の長辺ａ″方向に隣接する位置に退避するので、つまりカメラの高さ方向となるＺ方向には退避しないので、カメラ本体が高さ方向に大型化することなく小型化に寄与することができる。
【図面の簡単な説明】
【００４３】
【図１】(a),(b) は実施例１におけるデジタルカメラの概略構成を示す図である。
【図２】実施例１のデジタルカメラのレンズ装置のＡ−Ａ´矢視断面をデジタルカメラの左横から見た図である。
【図３】(a) は実施例１のデジタルカメラのレンズ装置をカメラ背面側から見た拡大斜視図、(b) はそのシャッタ装置を単独に示す図、(c) は撮像素子を単独に示す図である。
【図４】実施例１のデジタルカメラのレンズ装置のシャッタ装置の分解斜視図である。
【図５】(a),(b) は本発明のシャッタ装置のシャッタ機構の駆動原理を説明する図である。
【図６】本発明のシャッタ装置に係わるエレクトレットシャッタとその駆動回路を模式的に示す図である。
【図７】エレクトレットシャッタの駆動回路によって生成されて駆動電極に印加される電圧信号列を示す図である。
【図８】エレクトレットシャッタの動作を更に説明する図である。
【図９】実施例１のシャッタ装置の遮光幕が基板の光学的開口から退避した状態を示す図である。
【図１０】(a) は実施例２としてのカメラ本体のレンズを取り外した正面図、(b) はそのレンズの正面図である。
【図１１】実施例２のカメラ本体のレンズ背後の内部構成から更にフォーカルプレーンシャッタ装置を取り除いた構成を示す図である。
【図１２】実施例２のカメラのフォーカルプレーンシャッタ装置の分解斜視図である。
【図１３】実施例２のフォーカルプレーンシャッタ装置の組み立て後の側断面図を下半分だけ拡大して示す図である。
【図１４】実施例２のフォーカルプレーンシャッタ装置の第１の遮光幕が光学的開口から退避し第２の遮光幕が光学的開口を塞いでいる状態を示す図である。
【符号の説明】
【００４４】
１      デジタルカメラ
２      撮影レンズ窓
３      ストロボ照射窓
４      レリーズボタン
５      回路基板
６      電池
７      レンズ装置
８      第１の固定鏡枠部
９      第１の固定レンのズ部
１１    第１の移動鏡枠
１２    第１の移動レンズ部
１３    第２の移動鏡枠
１４    第２の移動レンズ部
１５    第３の移動鏡枠
１６    第３の移動レンズ部
１６    第２の固定鏡枠部
１８    第２の固定レンズ部
１９    撮像素子
２０    シャッタ位置（絞り位置）
２１    シャッタ装置
２２    光学的開口
２３    退避部
２４    受光面
２５    第１の基板
２６    スペーサ
２７    遮光幕
２８    第２の基板
２９    光学的開口
３１    駆動電極
３２    駆動回路
３３    誘電体（エレクトレット）
３４    パルス発生回路
３５    昇圧回路
３６    位相器
３７    カメラ本体
３８    交換レンズ取り付け部
３９    交換レンズ
４０    フォーカルプレーンシャッタ装置
４１    握り部
４２    シャッタボタン
４３    撮像素子受光面
４４    第１の基板
４５    第１の遮光幕
４６    第２の遮光幕
４７    スペーサ
４８    第２の基板
４９    駆動電極
５１    光学的開口
５２    駆動電極
５３    間隔維持部
５４    光学的開口
５５ａ、５５ｂ  退避位置
【図１】
2005274872.tif 000003
【図２】
2005274872.tif 000004
【図３】
2005274872.tif 000005
【図４】
2005274872.tif 000006
【図５】
2005274872.tif 000007
【図６】
2005274872.tif 000008
【図７】
2005274872.tif 000009
【図８】
2005274872.tif 000010
【図９】
2005274872.tif 000011
【図１０】
2005274872.tif 000012
【図１１】
2005274872.tif 000013
【図１２】
2005274872.tif 000014
【図１３】
2005274872.tif 000015
【図１４】
2005274872.tif 000016